(57)【特許請求の範囲】
【請求項１】
外壁材を上下方向に接続して張った外壁ユニットを上下方向に接続するとともに左右方向に若干の隙間を隔てて並置し、上記隙間を跨ぐ背部に外壁ユニットの上下高さに略相当する高さで前方が開放された断面略コ字状の樋体を左右の外壁ユニットに水密的に当接させて配設し、上下の樋体の間に接続するための上下間隔を形成し、下の樋体に挿入される小径樋部と上の樋体に外嵌される大径樋部とを有する接続樋体の小径樋部を下の樋体の内部に挿入し、大径樋部を上の樋体に外嵌して成ることを特徴とする建造物の樋の構造。
【請求項２】
外壁材を上下方向に接続して張った外壁ユニットを上下方向に接続するとともに左右方向に若干の隙間を隔てて並置し、上記隙間を跨ぐ背部に外壁ユニットの上下高さに略相当する高さで前方が開放された断面略コ字状の樋体を左右の外壁ユニットに水密的に当接させて配設し、上下の樋体の間に接続するための上下間隔を形成し、下の樋体に挿入される小径樋部と上の樋体に外嵌される大径樋部とを有する接続樋体を形成し、接続樋体を上部が下部に比べて樋体から離れる後傾姿勢にして小径樋部を下の樋体に挿入した後、接続樋体を下降させるとともに下の樋体との係合箇所を支点として前方に回動させて大径樋部を上の樋体に外嵌することを特徴とする建造物の樋の施工方法。
【発明の詳細な説明】
【０００１】
【発明の属する技術分野】
本発明は、建造物の樋の構造及び樋の施工方法に関し、詳しくは、例えば大型ビルディング等の高層階建造物の樋の施工を容易にかつ充分な水密性をもっておこなうとともに、建造物の建築高さの変更にも容易に対処できるようにしようとする技術に係るものである。
【０００２】
【従来の技術】
近来、ビルディングの外壁を施工するのに、図６に示すように、表裏の金属外皮１，２間に芯材３を充填するとともに上下部の一方に接続凹部４を、他方に接続凸部５を形成した外壁材６を使用することで、ビルディングの外観を著しく高めるとともに断熱性、耐候性等を充分に高めることができることから普及している。
【０００３】
ところで、上記のような外壁材６は、その各々を壁下地に固定具１７にて固定するのであり、膨大な足場が必要となり、大型ビルディングにおいては多大な手数を要して工期が長引くものであり、高層階建造部においては、足場を組めなく、施工が困難になることがある。
【０００４】
このような問題を解消する手段として、多数枚の外壁材をユニット枠に取付けて壁ユニットを組立て、この壁ユニットをクレーンで吊上げて接続する工法が考えられ、提案されている。
【０００５】
【発明が解決しようとする課題】
ところが、このような工法においては、上下方向においては外壁ユニットの外壁材の接続凹部と接続凸部による接続にて水密性を確保することができるが、左右に並置される外壁ユニット、つまり、左右の外壁材間の水密構造に苦慮するものである。特に、建造物においては、左右の外壁材間の隙間の背部に配設する樋体を１本物にすることができず、複数本の樋体を接続する形態になるのであり、建造物においては、外壁材間の縦方向の樋の施工が面倒になるという問題があった。
【０００６】
本発明はこのような問題に鑑みてなされたものであり、大型ビルディング等の建造物の樋の施工を容易にかつ充分な水密性をもっておこなうとともに、建造物の建築高さの変更にも容易に対処できる建造物の樋の構造及び樋の施工方法を提供することを課題とするものである。
【０００７】
【課題を解決するための手段】
請求項１においては、外壁材６を上下方向に接続して張った外壁ユニットＡを上下方向に接続するとともに左右方向に若干の隙間Ｅを隔てて並置し、上記隙間Ｅを跨ぐ背部に外壁ユニットＡの上下高さに略相当する高さで前方が開放された断面略コ字状の樋体４３を左右の外壁ユニットＡ，Ａに水密的に当接させて配設し、上下の樋体４３の間に接続するための上下間隔Ｆを形成し、下の樋体４３に挿入される小径樋部５１ａと上の樋体４３に外嵌される大径樋部５１ｂとを有する接続樋体５１の小径樋部５１ａを下の樋体４３の内部に挿入するとともに大径樋部５１ｂを上の樋体４３に外嵌することを特徴とするものである。このような構成によれば、上下の樋体４３，４３は接続樋体５１によって接続されるのであり、その接続形態は、小径樋部５１ａが下の樋体４３の内部に、大径樋部５１ｂが上の樋体４３の外部に外嵌されるのであり、上下の樋体４３，４３内部から外部に漏洩することを防止することができ、建造物の外壁材間の樋の施工を容易にかつ充分な水密性をもっておこなうとともに、建造物の建築高さの変更にも容易に対処できる。
【０００８】
請求項２においては、外壁材６を上下方向に接続して張った外壁ユニットＡを上下方向に接続するとともに左右方向に若干の隙間Ｅを隔てて並置し、上記隙間Ｅを跨ぐ背部に外壁ユニットＡの上下高さに略相当する高さで前方が開放された断面略コ字状の樋体４３を左右の外壁ユニットＡ，Ａに水密的に当接させて配設し、上下の樋体４３，４３の間に接続するための上下間隔Ｆを形成し、下の樋体４３に挿入される小径樋部５１ａと上の樋体４３に外嵌される大径樋部５１ｂとを有する接続樋体５１を形成し、接続樋体５１を上部が下部に比べて樋体４３から離れる後傾姿勢にして小径樋部５１ａを下の樋体４３に挿入した後、接続樋体５１を下降させるとともに下の樋体４３との係合箇所を支点として前方に回動させて大径樋部５１ａを上の樋体４３に外嵌することを特徴とするものである。このような構成によれば、請求項１と同様の効果を得ることができ、加えて、上部が樋体４３から離れる後傾姿勢の接続樋体５１の小径樋部５１ａを下の樋体４３に挿入した後、その係止箇所を支点に前方に回動させることで大径樋部５１ｂを上の樋体４３に外嵌させることができるのであり、上下の樋体４３，４３の接続を容易におこなうことができる。
【０００９】
【発明の実施の形態】
以下、本発明の実施の形態を説明する。
【００１０】
図５乃至図７に示すように、外壁ユニットＡは、上下間隔を隔てた例えば、アングル材を横フレーム１８とし、横フレーム１８に例えば、チャンネル材を胴縁１５として取付け、これら横フレーム１８を左右間隔を隔てた縦フレーム１６に溶接等して接続することでユニット枠７を構成し、このようなユニット枠７における胴縁１５に横長の複数枚の外壁材６を固定具１７にて固定したものである。外壁材６は、例えば横寸法３９６０ｍｍ×縦寸法９１０ｍｍのものを上下に例えば、７枚を張付けるものである。外壁ユニットＡの高さは建造物の各階の高さに相当する高さにしている。このような外壁ユニットＡは、建造物の施工現場や、工場等任意の場所において組立てることができるものである。
【００１１】
外壁材６は、図２に示すように、表裏の金属外皮１，２間に、例えば、ロックウールのような無機質材料からなる芯材３を発泡充填するとともに上部に接続凹部４を、他方に接続凸部５を形成したものである。接続凹部４側の表部には固定凹所２０を、接続凸部５側の表部には覆い部２１を形成している。しかして、固定凹所２０に固定具１７を打込んで外壁材６の上部を胴縁１５に固定し、接続凹部４に上の外壁材６の接続凸部５を嵌合して接続するのであり、この場合、固定凹所２０に覆い部２１が係入して固定具１７を隠している。このような上下方向の接続箇所には水密パッキン２２が介装されて充分な水密性を確保している。
【００１２】
図５及び図７に示すように、縦フレーム１６の上端部には摺動を許容する嵌合凹部９を形成した受部材２３がボルト２４にて固定されて上方に突出している。摺動を許容する嵌合凹部９は上下方向の摺動溝２５と略Ｖ字状に開いた導入溝部２６を備えている。縦フレーム１６の下端部には締付けて本締めが可能なボルト２８及びガイドピン２９を設けていて、ボルト２８とガイドピン２９との２本で、上下の方向性を出すようにしている。又、両端部の縦フレーム１６，１６には吊下げ部１１，１１を取付けてクレーンのフック２７を引掛けることで、外壁ユニットＡを吊下げ施工することができるようにしている。
【００１３】
吊下げ部１１の下方で縦フレーム１６には、上下方向の微調整をおこなうことができる仮止め手段１３を設けている。具体的には、アングル材３０のねじ孔にセットナット３１を付設して調整ボルト３２をねじ込んだものである。一方、建造物側の構造体３３側においては、各階の床部３４を構成する梁材３５にはアングル材の受材３６を調整ボルト３２に対して上下方向に対向させて取付けてある。
【００１４】
このような構成によれば、先ず、クレーンで吊上げた外壁ユニット６を建造物の１階部分に降ろして構造体３３側のアングル材の受材３６に円弧状の板ばね３７を介してボルト３８にて外壁ユニット６をその上下部において固定するのである。次に、２階部分に外壁ユニットＡを施工するのに際して、下の外壁ユニットＡにおけるＶ字状の導入溝部２６を形成した嵌合凹部９に上の外壁ユニットＡの嵌合凸部１０を摺動嵌合させることで、上の外壁ユニットＡを下の外壁ユニットＡに対して屋内外方向の位置決めして接続がおこなえるのであり、クレーン工法を楽におこなうことができるのである。
【００１５】
このように、摺動を許容する嵌合凹部９の摺動溝２５に嵌合凸部１０であるボルト２８及びガイドピン２９が鉛直方向を維持して接続されるのである。この場合、上の外壁ユニットＡと下の外壁ユニットＡとの上下の外壁材６，６の接続凹部４と接続凸部５との嵌合程度を判断して、調整ボルト３１を下方に突出して上下方向の微調整をおこなって接続凹部４と接続凸部５とが完全に接続する手前で調整ボルト３１を受材３６に当てて仮止めをおこなうのである。このように、上下の外壁ユニットＡ，Ａを接続する場合に、上の外壁ユニットＡの荷重が下の外壁ユニットＡにかかることを確実に阻止することができるのであり、したがって、上下の外壁材６，６の接続凹部４と接続凸部５との接続を所定通りに良好におこなうことができ、接続箇所に多大な荷重がかかるのを回避できて上下の外壁材６，６の接続箇所の変形や損傷を確実に防止することができるのである。
【００１６】
この場合、仮止め手段１３は屋内側に位置させて、仮止め手段１３を操作しているときに上下の接続凹部４と接続凸部５との接続を目視できる位置に設けてある。このような構成によれば、仮止め手段１３における微調整部１４の微調整をおこなうにあたって、上下の外壁材６，６の接続凹部４と接続凸部５との接続状況を目視しながら上下の微調整をおこなうことができ、上下の外壁材６，６の接続凹部４と接続凸部５の接続を所定通りにおこなうことができるのである。
【００１７】
図３は水平断面図を示し、図４は拡大断面図を示し、横方向の外壁ユニットＡ，Ａの水密接続構造を示している。
【００１８】
外壁材６の横方向の端部には芯材３に対向して側端片４０が折曲げられ、側端片４０に続いて受片４１が折曲げられている。側端片４０と芯材３との間にシールパッキン４２が介装されている。左右のシールパッキン４２，４２の背部には偏平なコ字状の樋体４３の両端片が圧入されている。隣接の外壁外壁材６，６の側端片４０，４０には変性シリコン樹脂がコーキング剤４４として充填されている。樋体４３は柱材４５に支持片４６を介して支持されている。このような樋体４３及び柱材４５は各階単位に設置される。図１０は外壁ユニットＡと樋体４３を備えた柱材４５の施工の順序を示していて、下階側のイ→ロ→ハ、上階側のニ→ホ→ヘの順番でおこなわれる。ところで、樋体４３を保持している柱材４５はクレーンで各階の所定の位置に吊下げられ、柱材４５が作業者によって前方に押されて樋体４３の両端片がシールパッキン４２，４２に圧入されるのである。
【００１９】
図１及び図２は上下の樋体４３，４３の接続構造を示している。接続樋体５１は、下の樋体４３の内部に挿入される小径樋部５１ａと上の樋体４３の外部に外嵌される大径樋部５１ｂとを備えている。しかして、小径樋部５１ａを下の樋体４３の内部に、大径樋部５１ｂを上の樋体４３の外部に外嵌するのである。この場合、図１の仮想線で示すように、接続樋体５１を上部が下部に比べて樋体４３から離れる後傾姿勢にして小径樋部５１ａを下の樋体４３の内部に挿入した後、接続樋体５１を下降させるとともに下の樋体４３との係合箇所を支点として前方に回動させて大径樋部５１ｂを上の樋体４３の外部に外嵌するのである。
【００２０】
【発明の効果】
請求項１においては、外壁材を上下方向に接続して張った外壁ユニットを上下方向に接続するとともに左右方向に若干の隙間を隔てて並置し、上記隙間を跨ぐ背部に外壁ユニットの上下高さに略相当する高さで前方が開放された断面略コ字状の樋体を左右の外壁ユニットに水密的に当接させて配設し、上下の樋体の間に接続するための上下間隔を形成し、下の樋体に挿入される小径樋部と上の樋体に外嵌される大径樋部とを有する接続樋体を形成し、小径樋部を下の樋体に挿入するとともに大径樋部を上の樋体外嵌するから、上下の樋体は接続樋体によって接続されるのであり、その接続形態は、小径樋部が下の樋体の内部に、大径樋部が上の樋体の内部に挿入されるのであり、上下の樋体の内部から外部に漏洩することを防止することができ、建造物の外壁材間の樋の施工を容易にかつ充分な水密性をもっておこなうとともに、建造物の建築高さの変更にも容易に対処できるという利点がある。
【００２１】
請求項２においては、外壁材を上下方向に接続して張った外壁ユニットを上下方向に接続するとともに左右方向に若干の隙間を隔てて並置し、上記隙間を跨ぐ背部に外壁ユニットの上下高さに略相当する高さで前方が開放された断面略コ字状の樋体を左右の外壁ユニットに水密的に当接させて配設し、上下の樋体の間に接続するための上下間隔を形成し、下の樋体に挿入される小径樋部と上の樋体に外嵌される大径樋部とを有する接続樋体を形成し、接続樋部を上部が下部に比べて樋体から離れる後傾姿勢にして小径樋部を下の樋体に挿入した後、接続樋体を下降させるとともに下の樋体との係合箇所を支点として前方に回動させて大径樋部を上の樋体に外嵌するから、請求項１と同様の効果を得ることができ、加えて、上部が樋体から離れる後傾姿勢の接続樋体の小径樋部を下の樋体に挿入した後、その係止箇所を支点に前方に回動させることで大径樋部を上の樋体に外嵌させることができるのであり、上下の樋体の接続を容易におこなうことができるという利点がある。
【図面の簡単な説明】
【図１】本発明の樋の接続作用を示す斜視図である。
【図２】同上の樋の接続作用を示し、（ａ）は正面図、（ｂ）は接続前の側面図、（ｃ）は接続後の側面図である。
【図３】同上の水平断面図である。
【図４】同上の拡大断面図である。
【図５】同上の外壁ユニットの接続を示す部分側面図である。
【図６】同上の外壁材の断面図である。
【図７】同上のクレーン工法を示す概略斜視図である。
【図８】同上の仮止め手段の斜視図である。
【図９】同上の摺動嵌合構造を示す斜視図である。
【図１０】同上の外壁ユニット及び樋体の施工順序を示す説明図である。
【符号の説明】
６      外壁材
８      外壁ユニット
４３    樋体
５１    接続樋体
５１ａ  小径樋部
５１ｂ  大径樋部
Ｅ      隙間
Ｆ      上下間隔
【図１】
0004119579.tif 000002
【図２】
0004119579.tif 000003
【図３】
0004119579.tif 000004
【図４】
0004119579.tif 000005
【図５】
0004119579.tif 000006
【図６】
0004119579.tif 000007
【図７】
0004119579.tif 000008
【図８】
0004119579.tif 000009
【図９】
0004119579.tif 000010
【図１０】
0004119579.tif 000011